(57)【特許請求の範囲】
【請求項１】
予め設定された端末装置である特定端末装置と同一行動をする他の端末装置である同行端末装置を抽出する同行端末抽出手段と、
前記同行端末装置が存在する場合に予め設定された装置に対して通知を行う通知手段と、
を備え、
前記同行端末抽出手段は、前記特定端末装置と同一行動をする他の端末装置及び前記特定端末装置で構成されるグループに含まれる端末装置の数を、位置情報の発信を拒否している端末装置の割合を加味して推定し、
前記通知手段は、前記グループに含まれる端末装置の数と、前記グループの位置とを地図上に表示させるための通知を行うこと
を特徴とする同行端末抽出装置。
【請求項２】
請求項１に記載の同行端末抽出装置であって、
前記グループの移動履歴を取得し、前記移動履歴が予め準備された公共交通機関に関する乗り物の移動態様と一致するか否かを判定する判定手段、をさらに備え、
前記通知手段は、前記移動履歴が前記乗り物の移動態様と一致する場合、前記グループに含まれる端末装置の数、及び前記グループの位置に加えて、前記乗り物を示す画像を地図上に表示させるための通知を行うこと
を特徴とする同行端末抽出装置。
【請求項３】
請求項１又は請求項２に記載の同行端末抽出装置であって、
ユーザによって指定されたエリアを取得するエリア指定手段と、
指定されたエリアに位置する任意の端末装置を特定端末装置として設定する特定端末設定手段と、
をさらに備えることを特徴とする同行端末抽出装置。
【発明の詳細な説明】
【技術分野】
【０００１】
本発明は、同一行動する端末装置を抽出する同行端末抽出装置に関する。
【背景技術】
【０００２】
上記の同行端末抽出装置として、同一行動する端末装置を抽出し、この抽出結果に応じた出力をする技術が知られている（例えば、特許文献１参照）。
【先行技術文献】
【特許文献】
【０００３】
【特許文献１】特許第５６７５３２２号公報
【発明の概要】
【発明が解決しようとする課題】
【０００４】
ところで、上記同行端末抽出装置では、より利便性を向上させることに対する要求がある。
【課題を解決するための手段】
【０００５】
本発明の一側面の同行端末抽出装置においては、
予め設定された端末装置である特定端末装置と同一行動をする他の端末装置である同行端末装置を抽出する同行端末抽出手段と、
前記同行端末装置が存在する場合に予め設定された装置に対して通知を行う通知手段と、
を備えている。
【０００６】
このような同行端末抽出装置によれば、同行端末装置が存在する場合に予め設定された装置に対して通知を行うので利便性を向上させることができる。
また、本発明の一側面の同行端末抽出装置においては、
前記特定端末装置および前記他の端末装置は携帯電話としての機能を備え、
前記同行端末抽出手段は、前記他の端末装置として予め設定された端末装置が前記特定端末装置と同一行動をしていることを抽出し、
前記通知手段は、前記他の端末装置が前記特定端末装置と同一行動をしている際に、前記特定端末装置に対する着信（着呼、メール等の受信）を前記他の端末装置に対して転送することにより、前記他の端末装置に対する通知を行う。
【０００７】
このような同行端末抽出装置によれば、他の端末装置として家族の端末装置を登録しておけば、同一行動をしているときにだけ着信を家族の端末装置に転送することができる。
また、本発明の一側面の同行端末抽出装置においては、ユーザによってエリアを指定するエリア指定手段と、
指定されたエリアに位置する任意の端末装置を特定端末装置として設定する特定端末設定手段と、
を備え、
前記同行端末抽出手段は、前記特定端末装置と同一行動をする他の端末装置の数も抽出し、
前記通知手段は、抽出された他の端末装置の数に応じた通知を行う。
【０００８】
このような同行端末抽出装置によれば、同一行動する端末の数に応じた通知を行うので、列車やデパート等の混雑状況を把握することができる。
なお、各請求項の記載は、可能な限りにおいて任意に組み合わせることができる。この際、一部構成を除外してもよい。
【図面の簡単な説明】
【０００９】
【図１】本発明が適用された管理システムの概略構成を示すブロック図である。
【図２】管理システムを構成する構成要素の詳細を示すブロック図である。
【図３】情報制御装置のマイコンが実行する着信転送処理を示すフローチャートである。
【図４】同一行動判定処理Ａを示すフローチャートである。
【図５】情報制御装置のマイコンが実行する混雑通知処理を示すフローチャートである。
【図６】情報制御装置のマイコンが実行する知人探索処理を示すフローチャートである。
【図７】情報制御装置のマイコンが実行する同行判定処理を示すフローチャートである。
【図８】情報制御装置のマイコンが実行する集団移動判定処理を示すフローチャートである。
【図９】同一行動判定処理Ｂを示すフローチャートである。
【図１０】集団移動判定処理による表示例を示す画像図である。
【発明を実施するための形態】
【００１０】
以下に本発明にかかる実施の形態を図面と共に説明する。
［本実施形態の構成］
図１は本発明が適用された管理システム１の概略構成を示すブロック図である。また、図２は、管理システム１を構成する構成要素の詳細を示すブロック図である。
【００１１】
管理システム１は、車両の乗員や乗客が所持する携帯電話や携帯タブレット等の無線通信機能を有する複数の端末装置１０と、近距離通信装置２０および走行制御部３５が搭載された車両９２とを備えている。
【００１２】
なお、本実施形態における端末装置１０は、ユーザインタフェースの機能を備えたハードウェアであって、ネットワーク（ここでは携帯電話通信網）に接続可能な装置を示す。また、端末装置１０の一部は車両９２以外の車両９７，９８の乗員により所持されている。
【００１３】
また、管理システム１は、インターネット網９０にそれぞれ接続された情報制御装置４０、基地局９５（９５ａ，９５ｂ）も備えている。
端末装置１０は、図２（ａ）に示すように、マイコン１１と、入力部１２と、表示部１３と、通信部１４と、ヘッドセット接続部１５と、ＩＣチップ１６とを備えている。マイコン１１は、ＣＰＵ、ＲＯＭ、ＲＡＭ等を備えた周知のコンピュータとして構成されており、ＲＯＭの格納されたプログラムやＲＡＭにロードされたプログラムに基づいて、接続された各部を制御し、後述する各種処理を実施する。なお、後述する各装置におけるマイコン２１，４１においても同様のハードウェア構成とされている。
【００１４】
入力部１２は、当該装置の使用者からの操作を受け付けるインタフェースとして構成されている。例えば、操作ボタンや、キーボード、マウス等によって構成されている。なお、後述する各装置における入力部２４，４２についても同様の構成とされている。
【００１５】
表示部１３は、例えば液晶カラーディスプレイや有機ＥＬディスプレイとして構成されており、マイコン１１からの表示指令に応じた画像を表示させる。なお、後述する各装置
における表示部２５，４３においても同様の構成とされている。
【００１６】
通信部１４は、携帯電話機や無線ＬＡＮの基地局９５と通信するための通信モジュールとして構成されている。また、通信部１４は、電波状況に応じて基地局９５（９５ａ，９５ｂ）を切り換える。例えば、通信部１４は、各基地局９５からの電波強度をそれぞれ検出し、電波強度が最も強い基地局９５を利用して通信を行う。
【００１７】
さらに、通信部１４は、基地局９５と通信するときとは異なる微弱な電波（基地局９５と通信するときに対して相対的に弱い電波）を送信し、近接する近距離通信装置２０等の外部装置に自装置の位置または存在を示す所定の信号を送信する機能を有する。また、他の装置から送信される微弱な電波を受信し、他の装置が近接していることを検出する機能も有する。
【００１８】
なお、近距離通信装置２０における通信部２７においても通信部１４と同様の構成とされている。また、通信部１４は、外部装置から発せられる電波の強度に応じて外部装置が付近に存在するか否かを判定するようにしてもよい。この判定の際には、電波法等において端末装置１０等に認められる出力の上限値を基準として、この上限値に対する電波強度を検出することで端末素値１０までの距離を演算すればよい。
【００１９】
ヘッドセット接続部１５は、マイクとヘッドホンとを備えたヘッドセットを接続するためのコネクタとして構成されている。マイコン１１はヘッドセットがヘッドセット接続部１５に接続されると、抵抗値の変化等を検出することで、ヘッドセットがヘッドセット接続部１５に接続されたことを認識することができる。なお、近距離通信装置２０におけるヘッドセット接続部２９においても同様の構成とされている。
【００２０】
ＩＣチップ１６は、端末装置１０を特定する情報（ＩＤ等の識別情報）を書き込み可能とされており、ＩＣチップ１６の内容を読み出すリーダによって非接触で端末装置１０を特定する情報が読み出されるよう構成されている。
【００２１】
次に、車両９２において近距離通信装置２０は、図２（ｂ）に示すように、マイコン２１と、地図ＤＢ（データベース）２２と、現在地検出部２３と、入力部２４と、表示部２５と、ＩＣリードライタ２６と、通信部２７と、内部接続部２８と、ヘッドセット接続部２９とを備えている。
【００２２】
地図ＤＢ２２は、緯度経度の情報と、道路形状や店舗の位置等の情報とを対応付けて記録した周知の地図データを格納している。また、現在地検出部２３は、ＧＰＳ衛星からの信号や、マップマッチング等を利用して、自身の位置を検出する機能を有する。
【００２３】
ＩＣリードライタ２６は、ＩＣチップ（端末装置１０のＩＣチップ１６等）の読み書きをする周知の装置として構成されている。内部接続部２８は、車両９２における車内ＬＡＮに接続するためのインタフェースとして構成されており、近距離通信装置２０は、この内部接続部２８を介して走行制御部３５に接続されている。車両９２において走行制御部３５は、周知の電子制御装置として構成されている。
【００２４】
情報制御装置４０は、図２（ｃ）に示すように、マイコン４１と、入力部４２と、表示部４３と、ネット接続部４４と、端末装置・車両ＤＢ４５と、犯罪者ＤＢ４６と、端末装置ＤＢ４７とを備えている。ネット接続部４４は、インターネット網９０に接続するためのインタフェースとして機能する。
【００２５】
端末装置・車両ＤＢ４５は、車両９２を利用する者の端末装置１０のＩＤ（識別情報）
と、車両９２のＩＤとを対応付けたデータを格納している。このデータは、管理する車両９２毎に格納される。
【００２６】
また、犯罪者ＤＢ４６は、犯罪者や犯罪を行う可能性が極めて高い者が利用する端末装置のＩＤが記録される。なお、ＩＤとは、電話番号や装置の固体番号等であってもよい。
端末装置ＤＢ４７は、車両９２内に存在する端末装置１０や、家族や知人の端末装置のＩＤの情報を格納するための記録領域として利用される。また、これらのＤＢ４５〜４７の内容は、入力部４２やネット接続部４４から入力される指令に応じて書き換え可能に構成されている。
【００２７】
マイコン４１は、基地局９５の配下（通信可能な範囲内）にある端末装置１０への通話やメール等の発着信を制御する。すなわち、マイコン４１は、基地局９５の配下にある端末装置１０の存在を把握しており、例えば、ある端末装置１０への着信があると、着信があった端末装置１０を特定し、この端末装置１０を呼び出す。
【００２８】
また、何れかの端末装置１０からの発信があった場合にも、着信の対象となる端末装置１０を呼び出す。なお、マイコン４１は、その他、以下に示すような種々の処理を実施する。
【００２９】
［本実施形態の処理］
このように構成された管理システム１において、情報制御装置４０のマイコン４１は、実施可能な処理の１つとして、図３に示す着信転送処理を実施する。着信転送処理は、ある端末装置１０への着信があり、かつ所定の条件を満たす際に、予め端末装置ＤＢ４７に記録された家族の端末装置１０に対して着信を転送する処理である。例えば、知人から夫に対する着信があった場合において夫が運転中で電話に出ることができないような場合に、同一行動をしている妻の端末装置１０に着信を転送する。なお、本実施形態において「同一行動」とは、複数の端末装置１０が、同じ基地局９５を利用する範囲内（例えば数百ｍ以内）に位置していたり、概ね同じ方向に移動していたりすることを示す。
【００３０】
なお、着信転送処理は、例えば情報制御装置４０の電源が投入されると開始され、その後、繰り返し実施される処理である。
着信転送処理では、図３に示すように、まず、転送元の装置であって転送登録済の端末装置１０に対する着信があるか否かを判定する（Ｓ１１０）。すなわち、転送を認める転送先の端末装置１０として個々の端末装置１０と対応付けて端末装置ＤＢ４７にて記録されているものがあり、本処理では、このような転送を認める端末装置１０が記録されたものを転送登録済の端末装置１０としている。
【００３１】
転送登録済の端末装置１０に対する着信がなければ（Ｓ１１０：ＮＯ）、着信転送処理を終了する。また、転送登録済の端末装置１０に対する着信があれば（Ｓ１１０：ＹＥＳ）、この端末装置１０を着信端末として、着信端末の呼出時間（呼出ベルの鳴動時間）が予め設定された着信基準時間を超えたか否かを判定する（Ｓ１２０）。
【００３２】
この着信端末の呼出時間が着信基準時間を超えていなければ（Ｓ１２０：ＮＯ）、着信に対する応答があったか否かを判定する（Ｓ１３０）。ここでの「応答」とは、着呼（音声通信での呼出）の場合には、着呼に応じて受話したことを示し、また、メール等のテキストや画像を含むデータの着信においては、このようなデータに含まれるテキストや画像を端末装置１０にてユーザの意思で表示させたことを示す。
【００３３】
着信に対する応答があれば（Ｓ１３０：ＹＥＳ）、もはや着信を転送する必要がないため着信転送処理を終了する。着信に対する応答がなければ（Ｓ１３０：ＮＯ）、Ｓ１２０
の処理に戻る。
【００３４】
また、この着信端末の呼出時間が着信基準時間を超えていれば（Ｓ１２０：ＹＥＳ）、着信があった端末装置１０の転送先として端末装置ＤＢ４７に登録された端末装置１０を選択端末として選択する（Ｓ１４０）。なお、端末装置ＤＢ４７に複数の端末装置１０が登録されている場合には、複数の端末装置１０のうちの何れか１つを選択端末として選択する。
【００３５】
続いて、着信端末および選択端末を判定対象端末して設定する（Ｓ１５０）。そして、同一行動判定処理Ａを実施する（Ｓ１６０）。同一行動判定処理Ａは、判定対象端末が同一行動をしているか否かを判定する処理である。
【００３６】
同一行動判定処理Ａでは、図４に示すように、まず、同一行動判定を行う端末装置１０の情報を抽出する（Ｓ３１０）。続いて、近距離通信装置２０による情報を取得する（Ｓ３２０）。すなわち、近距離通信装置２０の通信可能エリア内に位置する端末装置１０に関する情報を取得する。
【００３７】
続いて、近距離通信装置２０から得られた情報に、全ての判定対象端末が含まれているか否かを判定する（Ｓ３３０）。全ての判定対象端末が含まれていれば（Ｓ３３０：ＹＥＳ）、後述するＳ３９０の処理に移行する。
【００３８】
また、近距離通信装置２０から得られた情報に何れかの判定対象端末が含まれていなければ（Ｓ３３０：ＮＯ）、全ての判定対象端末から位置情報が取得されたか否かを判定する（Ｓ３４０）。位置情報は端末装置１０において位置情報を送信する旨が許可されている場合に取得できる。
【００３９】
何れかの判定対象端末から位置情報が取得できていなければ（Ｓ３４０：ＮＯ）、Ｓ３６０の処理に移行する。また、全ての判定対象端末から位置情報が取得できていれば（Ｓ３４０：ＹＥＳ）、全ての判定対象端末について位置が近接しているか否かを判定する（Ｓ３５０）。ここでの「近接」とは、全ての判定対象端末が同一方向に移動していることを検出できればよいため、検出誤差を加味して、数百ｍ以内に位置していることを示す。
【００４０】
全ての判定対象端末の位置が近接していれば（Ｓ３５０：ＹＥＳ）、Ｓ３９０の処理に移行する。また、何れかの判定対象端末の位置が近接していなければ（Ｓ３５０：ＮＯ）、全ての判定対象端末のそれぞれが基地局９５を切り替えたタイミングを示す基地局切替履歴を取得する（Ｓ３６０）。なお、基地局切替履歴は、端末装置ＤＢ４７にて保持されている。
【００４１】
続いて、基地局切替履歴に基づいて、全ての判定対象端末が、概ね同様のタイミングで基地局を切り替えているか否かを判定する（Ｓ３７０）。ここで、概ね同様のタイミングとは、端末装置１０や基地局９５の個体差や電波状態に応じて設定される値であり、例えば全ての判定対象端末において基地局９５の切り替えタイミングが複数回に渡ってそれぞれ数分以内に行われたことを示す。
【００４２】
何れかの判定対象端末が異なるタイミングで基地局９５を切り替えていれば（Ｓ３７０：ＮＯ）、何れかの判定対象端末が同一行動していない旨をマイコン４１内のメモリに記録し（Ｓ３８０）、同一行動判定処理Ａを終了する。また、全ての判定対象端末が、概ね同様のタイミングで基地局を切り替えていれば（Ｓ３７０）、全ての判定対象端末が同一行動している旨をマイコン４１内のメモリに記録し（Ｓ３９０）、同一行動判定処理Ａを終了する。
【００４３】
続いて、図３に戻り、判定対象端末が同一行動をしているか否かを判定する（Ｓ１７０）。判定対象端末が同一行動をしていれば（Ｓ１７０：ＹＥＳ）、選択端末に着信を転送する（Ｓ２１０）。
【００４４】
続いて、この選択端末の呼出時間が予め設定された着信基準時間を超えたか否かを判定する（Ｓ２２０）。この選択端末の呼出時間が着信基準時間を超えていなければ（Ｓ２２０：ＮＯ）、着信に対する応答があったか否かを判定する（Ｓ２３０）。着信に対する応答があれば（Ｓ２３０：ＹＥＳ）、着信転送処理を終了する。
【００４５】
また、この選択端末の呼出時間が着信基準時間を超えていれば（Ｓ２２０：ＹＥＳ）、既に選択した選択端末以外に端末装置ＤＢ４７において転送先登録された端末装置１０があるか否かを判定する（Ｓ２４０）。この端末装置１０があれば（Ｓ２４０：ＹＥＳ）、既に選択した選択端末以外の端末装置１０であって転送先登録された端末装置１０のうちの１つを選択し（Ｓ２５０）、Ｓ１５０の処理に戻る。
【００４６】
また、既に選択した選択端末以外に端末装置ＤＢ４７において転送先登録された端末装置１０がなければ（Ｓ２４０：ＮＯ）、着信転送処理を終了する。
次に、混雑通知処理について説明する。混雑通知処理は、ユーザとなる端末装置１０によって指定された場所やバスや列車等の移動物が混雑しているか否かをユーザの求めに応じて回答する処理である。混雑通知処理は、ユーザが端末装置１０を操作して移動物や建物等の対象物と、移動する対象物を指定する場合にその移動物がその位置に存在していた時刻とを指定し、対象物や時刻を指定した旨を情報制御装置４０が受信すると、情報制御装置４０にて開始される処理である。
【００４７】
詳細には、混雑通知処理では、図５に示すように、ユーザによって指定された対象物の位置と時刻とを取得する（Ｓ４１０）。そして、指定された対象物の位置と時刻とに基づいて、対象物内に位置する端末装置１０を特定し、対象物内に位置する端末装置１０の数を推定する（Ｓ４２０）。
【００４８】
対象物内に位置する端末装置１０を特定する際には、例えば、線路上の位置が指定された場合、列車が指定されたものとして、位置と時刻とによって列車（列車の行先を含む）を特定する。つまり、列車等の時刻表のデータベースと指定された位置および時刻を照合することによって列車を特定し、現在この列車が走行していると予想される場所に位置する端末装置１０を抽出する。
【００４９】
また、指定された位置が線路上や道路上等、移動物が走行しない位置である場合には、対象物が建物であるものとして、この建物内に位置する端末装置１０を抽出する。
また、端末装置１０の数を推定する際には、種々の手法を用いることができる。例えば、位置情報の発信を許可している多数の端末装置１０のみから位置情報を取得し、位置情報が対象物内となる端末装置１０を特定する。そして、位置情報の発信を拒否している端末装置１０の割合（予め統計的に得られた値）を加味して対象物内に位置する端末装置１０の数を推定する。
【００５０】
また、指定された対象物を配下とする基地局９５へ移動した端末装置１０の数を監視し、基地局９５が配下とする領域の広さに対する対象物の広さや、統計的に求められた人の密集しやすさの値に応じて設定される係数を乗じることで、対象物内に位置する端末装置１０の数を推定してもよい。また、イベントの情報（イベントの参加人数や会場の広さ等の情報）を加味して係数を設定してもよい。
【００５１】
また、位置情報等に基づき対象物内に存在する端末装置１０と同一行動をする端末装置１０を探索し、この探索結果に基づいて同一行動する端末装置１０の数を推定してもよい。なお、対象物内に位置する端末装置１０を入場中端末と呼ぶ。
【００５２】
続いて、入場中端末の数と第１判定値とを比較する（Ｓ４３０）。ここで、第１判定値は、対象物が混雑しているか否かを判定するための閾値である。例えば、対象物がバスや列車等の乗り物である場合には、第１判定値は、車両毎の定員や定員に所定の係数を乗じた値に設定される。また、対象物がデパートや遊園地、或いは遊園地等における個別の建物である場合には、人の密度、入場待ち時間、会計待ち時間等が多くの人にとって不快と感じる値に設定される。
【００５３】
入場中端末の数が第１判定値を超えていれば（Ｓ４３０：ＹＥＳ）、対象物が混雑している旨を示す混雑出力を実施し（Ｓ４４０）、Ｓ４８０の処理に移行する。混雑出力は、対象物を示す情報とともにユーザとなる端末装置１０に対して送信され、この端末装置１０において報知される。
【００５４】
また、入場中端末の数が第１判定値以下であれば（Ｓ４３０：ＮＯ）、入場中端末の数と第２判定値とを比較する（Ｓ４５０）。ここで、第２判定値は、対象物が空いているか否かを判定するための閾値であり、第１判定値よりも小さな値に設定される。
【００５５】
例えば、対象物がバスや列車等の乗り物である場合には、第２判定値は、乗客全員が着席できる程度の値に設定される。また、対象物がデパートや遊園地、或いは遊園地等における個別の建物である場合には、人の密度、入場待ち時間、会計待ち時間が多くの人にとって快適と感じる値に設定される。
【００５６】
入場中端末の数が第２判定値未満であれば（Ｓ４５０：ＹＥＳ）、対象物が空いている旨を示す閑散出力を実施し（Ｓ４６０）、Ｓ４８０の処理に移行する。閑散出力は、対象物を示す情報とともにユーザとなる端末装置１０に対して送信され、この端末装置１０において報知される。
【００５７】
入場中端末の数が第２判定値以上であれば（Ｓ４５０：ＮＯ）、対象物が混雑しておらす、かつ空いていない状態を示す通常出力を実施する（Ｓ４７０）。通常出力は、対象物を示す情報とともにユーザとなる端末装置１０に対して送信され、この端末装置１０において報知される。
【００５８】
続いて、関連物判定を実施するか否かを判定する（Ｓ４８０）。ここで、関連物とは、他の対象物を示し、対象物が乗り物であれば次に来る乗り物を示し、また、対象物がデパート等の建物であれば、近接する別のデパート等の類似する建物を示す。これらの関連物は、対象物や対象物の種別に応じて予め設定されている。また、本処理では、混雑出力や通常出力を行っていた場合に、関連物判定を実施するものと判定する。
【００５９】
関連物判定を実施する場合には（Ｓ４８０：ＹＥＳ）、Ｓ４１０の処理に戻る。この場合、関連物を新たな対象物として処理を行う。また、関連物判定を実施しない場合には（Ｓ４８０：ＮＯ）、混雑通知処理を終了する。
【００６０】
なお、上記の処理を実施すると、閑散出力がされる対象物が探索されるまで対象物の探索を繰り返し、探索した対象物の全てについて何れかの出力を行ない、これらを並べて表示することになる。
【００６１】
次に、知人探索処理について説明する。知人探索処理は、知人が同じ乗り物に乗ってい
るか、或いは、知人が高速道路等において比較的近距離を同方向に移動しているかを推定し、報知する処理である。なお、知人探索処理は、ユーザとなる端末装置１０において、電話番号やメールアドレス等の知人の端末装置１０を特定する情報が入力され、この情報を情報制御装置４０が受信すると、情報制御装置４０にて開始される処理である。
【００６２】
知人探索処理では、図６に示すように、まず、知人の端末装置１０を表す知人端末を特定するための情報を抽出する（Ｓ５１０）。そして、この情報に基づいて知人端末とユーザとなる端末装置１０（自端末）とを判定対象端末として設定する（Ｓ５２０）。
【００６３】
続いて、前述した同一行動判定処理Ａを実施する（Ｓ５３０）。そして、判定対象端末が同一行動をしているか否かを判定する（Ｓ５４０）。判定対象端末が同一行動をしていれば（Ｓ５４０：ＹＥＳ）、知人端末が同一行動している旨を出力する（Ｓ５５０）。また、判定対象端末が同一行動をしていなければ（Ｓ５４０：ＮＯ）、知人端末が同一行動していない旨を出力する（Ｓ５６０）。
【００６４】
これらの出力はユーザとなる端末装置１０に対して実施され、ユーザとなる端末装置１０では知人端末を特定するための情報（名前、電話番号、メールアドレス等）とともに、同一行動している旨や同一行動していない旨が報知される。このような処理が終了すると知人探索処理を終了する。
【００６５】
次に、同行判定処理について説明する。同行判定処理は、ユーザによって指定された端末装置１０が誰かと同一行動をしているか否かを判定する処理である。例えば、尾行者の有無を検出したり、徘徊老人に誰かが同行しているかどうかを検出したりする際に利用できる処理である。
【００６６】
同行判定処理は、例えば、ユーザとなる端末装置１０において、同行者がいるか否かを判定する対象となる判定対象端末が指定され、この判定対象端末を指定する情報を情報制御装置４０が受信すると、情報制御装置４０が実行する処理である。
【００６７】
同行判定処理では、図７に示すように、まず、指定された端末装置１０を判定対象端末に設定する（Ｓ６１０）。続いて、この判定対象端末と同じ基地局９５を利用している他の全ての端末装置１０を判定対象端末に設定する（Ｓ６２０）。
【００６８】
続いて、前述の同一行動判定処理Ａを実施する（Ｓ６３０）。なお、この場合の同一行動判定処理Ａでは、ユーザとなる端末装置１０と、他の複数の端末装置１０のうちの何れか１つの端末装置１０とを判定対象端末とし、他の複数の端末装置１０を順次変更しながら、全ての判定対象端末について処理が終了するまで同一行動判定処理Ａを繰り返す。
【００６９】
そして、同一行動をしている判定対象端末が存在するか否かを判定する（Ｓ６４０）。同一行動をしている判定対象端末が存在していれば（Ｓ６４０：ＹＥＳ）、この判定対象端末を特定する情報と同一行動している旨とを出力する（Ｓ６５０）。また、同一行動をしている判定対象端末が存在していなければ（Ｓ６４０：ＮＯ）、同一行動する判定対象端末が存在していない旨を出力する（Ｓ６６０）。このような処理が終了すると同行判定処理を終了する。
【００７０】
次に、集団移動判定処理について説明する。集団移動判定処理は、比較的多数の端末装置１０が同一行動している旨を検出し、同一行動するグループ毎に、どのようなグループであるかを推定する処理である。例えば、同じ乗り物に乗っている者、バイク等で集団走行をしている者、オレオレ詐欺等の不法行為をするために多数の端末装置１０を所持して移動する者等を検知する際に利用することができる。
【００７１】
なお、集団移動判定処理は、ユーザとなる端末装置１０から探索するエリアを指定した指示を情報制御装置４０が受信すると情報制御装置４０によって実施される処理である。集団移動判定処理では、図８に示すように、まず、指定されたエリアを抽出する（Ｓ７１０）。続いて指定されたエリアを配下とする基地局９５を特定する（Ｓ７２０）。
【００７２】
そして、この基地局９５が配下とする全ての端末装置を判定対象端末に設定する（Ｓ７３０）。続いて、同一行動判定処理Ｂを実施する（Ｓ７４０）。同一行動判定処理Ｂは、同一行動するもの毎に端末装置１０をグループ化する処理である。
【００７３】
詳細には、同一行動判定処理Ｂでは、図９に示すように、前述の同一行動判定処理ＡのうちのＳ３１０〜Ｓ３６０の処理と同様の処理を実施する。ただし、Ｓ３３０、Ｓ３５０にて肯定判定された場合には、Ｓ７９０の処理に移行する。
【００７４】
また、Ｓ３６０の処理の後には、複数の端末装置１０について、近接するもの、或いは切替タイミングが同タイミングのもの毎に１つのグループとして対応付けるグループ化を行う（Ｓ７９０）。
【００７５】
このような同一行動判定処理Ｂが終了すると、図８に戻り、グループ毎の位置・時刻に応じてグループの種別を認識する（Ｓ７５０）。例えば、公共交通機関と共に移動しているか否かを特定する。
【００７６】
この処理では、各端末装置１０の過去における移動履歴を参照し、この移動履歴が予め準備された公共交通機関（乗り物）の移動態様と一致しているか否かを判定し、一致していれば公共交通機関と対応付ける。なお、ここでいう移動履歴とは、過去における各端末装置１０の位置を時刻と対応付けて記録したものを示し、各端末装置１０から送信された位置情報や基地局切替履歴等を示す。例えば、あるグループの移動履歴が、鉄道路線に沿って移動し、駅で移動が停止する等の移動態様であれば、このグループは鉄道に乗車しているグループと認定する。
【００７７】
また、あるグループの移動履歴が、バス路線に沿って移動し、バス停がある位置で停止する等の移動態様であれば、このグループはバスに乗車しているグループと認定する。また、あるグループの移動履歴が鉄道やバスの移動とは異なる移動体である場合、不明であるグループと認定する。例えば、道路上を徒歩によって移動するグループが認定される。また、あるグループの移動履歴に基づいて長時間移動しないことが検出された場合には、不審な挙動であるグループと認定する。
【００７８】
続いて、認識されたグループの種別毎に、地図上にグループの位置を表示させる（Ｓ７６０）。この処理では、グループを構成する複数の端末装置１０の中心位置等の任意の位置をグループの位置として特定し、このグループの位置に、グループの種別、グループを構成する端末装置１０の数を表示させる出力を行う。なお、この出力は、ユーザとなる端末装置１０に対して実施され、この端末装置１０では、図１０に示すような画像が表示される。
【００７９】
図１０に示す画像では、鉄道に乗車しているグループについては鉄道（列車）を示す画像とともにグループを構成する端末装置１０の数が表示され、バスに乗車しているグループについてはバスを示す画像と共にグループを構成する端末装置１０の数が表示される。つまり、同一の基地局９５に繋がる端末装置１０の数が表示される。また、不明であるグループについては、暴走族等、走行に注意を要する集団である可能性があるため、注意を促すマーク（例えば「！」等）とグループを構成する端末装置１０の数とが表示される。また、不審な挙動であるグループについては、不審である旨を示すマーク（例えば「？」等）とグループを構成する端末装置１０の数とが表示される。
【００８０】
このような処理が終了すると、集団移動判定処理を終了する。
［本実施形態による効果］
以上のように詳述した管理システム１において、情報制御装置４０のマイコン４１は、
予め設定された端末装置である特定端末装置と同一行動をする他の端末装置である同行端末装置を抽出し、同行端末装置が存在する場合に予め設定された装置に対して通知を行う。
【００８１】
このような管理システム１によれば、同行端末装置が存在する場合に予め設定された装置に対して通知を行うので利便性を向上させることができる。
また、特定端末装置および他の端末装置は携帯電話機としての機能を備え、情報制御装置４０のマイコン４１は、他の端末装置として予め設定された端末装置が特定端末装置と同一行動をしていることを抽出し、他の端末装置が特定端末装置と同一行動をしている際に、特定端末装置に対する着信（着呼、メール等の受信）を他の端末装置に対して転送することにより、他の端末装置に対する通知を行う。
【００８２】
このような管理システム１によれば、他の端末装置として家族の端末装置を登録しておけば、同一行動をしているときにだけ着信を家族の端末装置に転送することができる。
また、情報制御装置４０のマイコン４１は、ユーザによって指定されたエリアに位置する任意の端末装置を特定端末装置として設定し、特定端末装置と同一行動をする他の端末装置の数も抽出し、抽出された他の端末装置の数に応じた通知を行う。
【００８３】
このような管理システム１によれば、同一行動する端末の数に応じた通知を行うので、列車やデパート等の混雑状況を把握することができる。
また、基地局につながる端末装置１０の数をグループ毎に表示させるので、この表示を見る者に、移動したり停止したりというような同一行動をする端末装置の数、言い換えれば人数を分かりやすく認識させることができる。また、徒歩で移動する人の数、道路上や線路上を乗り物に乗って移動する人の数、或いは移動しない人の数を調べることができる。
【００８４】
［その他の実施形態］
本発明は、上記の実施形態によって何ら限定して解釈されない。また、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００８５】
上述した管理システム１の他、当該管理システム１の構成要素となる装置、当該管理システム１としてコンピュータを機能させるためのプログラム、このプログラムを記録した媒体、管理方法など、種々の形態で本発明を実現することもできる。
【００８６】
例えば、上記実施形態において、任意の人物が所持する端末装置１０が他の端末装置と同一行動をしていると判定された場合には、同一行動をしている端末装置１０が犯罪者ＤＢ４６に記録された端末装置１０であるか否かを判定してもよい。そして、同一行動をしている端末装置１０が犯罪者ＤＢ４６に記録された端末装置１０であると判定された場合には、その旨を、犯罪者ＤＢ４６に記録された端末装置１０と同一行動をする端末装置１０や、ユーザとなる端末装置１０等の任意の端末装置にて報知させるようにしてもよい。
【００８７】
また、上記実施形態の構成を利用して、交通量調査や入場者数調査等の数の調査を表す数量調査を実施することもできる。数量調査を実施する際には、予め任意に設定されたエリアに流入する端末装置１０の数とエリアから流出する端末装置１０の数とをカウントする。流入する端末装置１０の数と流出する端末装置１０の数との差は、このエリアに入場した端末装置１０の数となり、流入し、かつ流出した端末装置１０の数は、このエリアを
通過した端末装置の数となる。
【００８８】
そして、これらの端末装置１０の数に対して、携帯電話機の所持率や携帯電話会社のシェア等を加味して設定される係数を乗じることによって、このエリアを通過した人数やこのエリアに流入した人数等を推定する。なお、それぞれの端末装置１０がこのエリアに流入または流出したことの判定は、前述した同一行動判定処理等の任意の処理を用いて実施すればよい。
【００８９】
また、このような数量調査を行う際に、端末装置１０の移動速度を何らかの方法で取得し、この移動速度を加味することによって、端末装置１０が歩行者に所持されているか、自転車に乗る人物に所持されているか、自動車やバイクに乗る人物に所持されているか、等を識別することもできる。つまり、歩行者のみ、或いは自動車やバイクのみ等、交通の種別毎に交通量を調査することもできる。
【００９０】
具体的には、交通の種別を識別するための１または複数の閾値を準備しておき、端末装置１０の移動速度と閾値とを比較する。そして、端末装置１０の移動速度が閾値を超えるか否かによって交通の種別を特定する。
【００９１】
また、交通の種別を識別する際には、道路であれば概ね同様の速度で車両が流れる性質があるため、概ね同様の速度で移動する複数の端末装置１０を抽出し、抽出された端末装置１０を速度に拘わらず車両であると特定してもよい。この場合、渋滞中であっても交通量調査を正確に行うことができる。
【００９２】
［実施形態の構成と本発明の手段との対応関係］
上記実施形態において情報制御装置４０は、本発明でいう同行端末抽出装置に相当する。また、情報制御装置４０が実行する処理のうちのＳ１６０，Ｓ５３０，Ｓ６３０（Ｓ３１０〜Ｓ３９０），Ｓ７４０（Ｓ３１０〜Ｓ３６０，Ｓ７９０）の処理は、本発明でいう同行端末抽出手段に相当し、上記実施形態においてＳ２１０、Ｓ４４０，Ｓ４６０．Ｓ４７０，Ｓ５５０，Ｓ５６０，Ｓ６５０，Ｓ６６０，Ｓ７６０の処理は、本発明でいう通知手段に相当する。
【００９３】
また、上記実施形態においてＳ４１０，Ｓ７１０の処理は、本発明でいうエリア指定手段に相当し、上記実施形態においてＳ４２０，Ｓ７３０の処理は、本発明でいう特定端末設定手段に相当する。
【符号の説明】
【００９４】
１…管理システム、１０…端末装置、１１…マイコン、１２…入力部、１３…表示部、１４…通信部、１５…ヘッドセット接続部、１６…ＩＣチップ、２０…近距離通信装置、２１…マイコン、２３…現在地検出部、２４…入力部、２５…表示部、２６…ＩＣリードライタ、２７…通信部、２８…内部接続部、２９…ヘッドセット接続部、３５…走行制御部、４０…情報制御装置、４１…マイコン、４２…入力部、４３…表示部、４４…ネット接続部、４５…端末装置・車両ＤＢ、４６…犯罪者ＤＢ、４７…車両内端末装置ＤＢ、５６…ネット接続部、９０…インターネット網、９２…車両、９５…基地局、９７…車両。
【図１】
0006682725.tif 000002
【図２】
0006682725.tif 000003
【図３】
0006682725.tif 000004
【図４】
0006682725.tif 000005
【図５】
0006682725.tif 000006
【図６】
0006682725.tif 000007
【図７】
0006682725.tif 000008
【図８】
0006682725.tif 000009
【図９】
0006682725.tif 000010
【図１０】
0006682725.tif 000011